(57)【特許請求の範囲】
【請求項１】
シャッタボタンと、
ストロボオート撮影を含む複数の撮影モードから択一的に撮影モードを設定するモード設定手段と、
前記ストロボオート撮影の場合は、前記シャッタボタンが半押しされた時の被写体輝度に基づき、露出時にストロボを発光させるか否かを判断するストロボ判断手段と、
前記シャッタボタンが半押しされた時の被写体輝度に基づき、適正露出値を設定する露出設定手段とを備え、
前記露出設定手段は、前記シャッタボタンが半押しされてから全押しされるまでに所定時間以上経過したときは、前記シャッタボタンが全押しされた時の被写体輝度に基づき、前記設定した適正露出値を補正することを特徴とするストロボオート撮影機能を備えたカメラ。
【請求項２】
請求項１記載のストロボオート撮影機能を備えたカメラにおいて、前記ストロボ判断手段は、さらに、前記シャッタボタンが全押しされた時に、該全押時の被写体輝度に基づいて前記ストロボを発光させるか否かを再判断し、該再判断では、前記ストロボを発光させると判断する基準輝度値を、前記シャッタボタンが半押しされたときの基準輝度値よりも低く設定するストロボオート撮影機能を備えたカメラ。
【請求項３】
請求項１または２記載のストロボオート撮影機能を備えたカメラにおいて、さらに、前記ストロボ判断手段によって前記ストロボを発光させると判断されたときは、前記ストロボの充電を開始させる充電制御手段を備えたストロボオート撮影機能を備えたカメラ。
【請求項４】
請求項１乃至３のいずれか一項に記載のストロボオート撮影機能を備えたカメラにおいて、前記露出設定手段は、前記ストロボ判断手段によってストロボを発光させると判断された場合、前記シャッタボタンが全押しされた後に、ＦＭ演算を行なって適正絞り値を設定し直すストロボオート撮影機能を備えたカメラ。
【請求項５】
請求項１乃至４記載のいずれか一項に記載のストロボオート撮影機能を備えたカメラは、該カメラに内蔵または外付けされたストロボを備えているストロボオート撮影機能を備えたカメラ。
【発明の詳細な説明】
【０００１】
【発明の技術分野】
本発明は、露出時にストロボを発光させるか否かを自動判断するストロボオート撮影機能を備えたカメラに関する。
【０００２】
【従来技術およびその問題点】
カメラでは、露出時にストロボ光が必要であるか否かを被写体輝度に基づいて自動判断し、必要と判断した場合にストロボを発光させるストロボオート撮影モードを備えたものが知られている。このタイプでは、ストロボを発光させるか否かの判断及び表示を露出前に行なう必要があるから、シャッタボタンが半押しされた時点で測光して被写体輝度を求め、この被写体輝度に基づいて露出値を決定し、さらにストロボを発光させるか否かを判断している。このため、シャッタボタンが半押しされてから全押しされるまでの間に被写体輝度が大きく変化してしまうと、変化量分だけ露出がずれてしまい、適正露出を得ることができなかった。
【０００３】
なお従来では、所望の被写体にピントが合いづらい場合の対応策として、撮影距離が等しい別の物体／人物にピントを合わせ、フォーカスロックしてから所望の被写体にフレーミングし直すことが勧められているが、この場合にはピントを合わせた物体／人物の輝度と撮影したい被写体の輝度が必ずしも一致するとは限らないため、また、フォーカスロック状態が長い間維持された場合にはその間に被写体輝度が大きく変化してしまう可能性があるため、適正露出を得ることができなかった。
【０００４】
【発明の目的】
本発明は、適正露出を得ることができるストロボオート撮影機能を備えたカメラを提供することを目的とする。
【０００９】
【発明の概要】
本発明は、シャッタボタンと、ストロボオート撮影を含む複数の撮影モードから択一的に撮影モードを設定するモード設定手段と、前記ストロボオート撮影の場合は、前記シャッタボタンが半押しされた時の被写体輝度に基づき、露出時にストロボを発光させるか否かを判断するストロボ判断手段と、前記シャッタボタンが半押しされた時の被写体輝度に基づき、適正露出値を設定する露出設定手段とを備え、前記露出設定手段は、前記シャッタボタンが半押しされてから全押しされるまでに所定時間以上経過したときは、前記シャッタボタンが全押しされた時の被写体輝度に基づき、前記設定した適正露出値を補正することに特徴を有している。
【００１０】
この構成によれば、シャッタボタンが半押しされている間に被写体輝度が大きく変化してしまった場合であっても、適正露出を得ることができる。
【００１１】
前記ストロボ判断手段は、シャッタボタンが全押しされた時の被写体輝度に基づいてストロボを発光させるか否かを再判断することが好ましい。また、再判断する場合に、ストロボを発光させると判断する基準輝度値を、シャッタボタンが半押しされたときの基準輝度値よりも低く設定すれば、アンダー量が大きすぎて撮影失敗の可能性が高い場合にだけストロボ必要と判定できるので好ましい。
【００１４】
【発明の実施の形態】
以下、図面に基づいて本発明を説明する。図１は本発明を適用したレンズシャッタカメラの制御系を示すブロック図である。カメラ１は、カメラ動作を総括的に制御するＣＰＵ１０を備えている。ＣＰＵ１０は、制御用プログラム等を格納したＲＯＭ、制御用データなどを一時的に記憶するＲＡＭを内蔵している。
【００１５】
ＣＰＵ１０には、スイッチ類として、主電源のオン／オフ状態を切り替える電源スイッチＳＷＭ、カメラ裏蓋（不図示）の開閉状態を検出する裏蓋スイッチＳＷＵ、撮影モードを切り替えるモードスイッチＳＷＭｏ、測光スイッチＳＷＳ、レリーズスイッチＳＷＲがそれぞれ接続されている。測光スイッチＳＷＳ及びレリーズスイッチＳＷＲは、シャッタボタン（不図示）に連動する２段スイッチであって、半押しされたときに測光スイッチＳＷＳがオンし、全押しされたときにレリーズスイッチＳＷＲがオンする。
【００１６】
またＣＰＵ１０には、駆動電源となる電池１１、ストロボ発光の開始／停止及びストロボ発光用コンデンサ（不図示）の充電を行なうストロボ回路１３、フィルムモータ１４を介してフィルムを巻き上げ／巻き戻すフィルム給送回路１５、フォーカスモータ１６を介して焦点調節レンズ群（不図示）を移動させるフォーカス駆動回路１７、シャッタモータ１８を介してシャッタ機構を駆動するシャッタ駆動回路１９、ストロボの充電状態を報知するための赤ランプ２１、撮影モード情報などの撮影に関する情報を表示するＬＣＤパネル２３、被写体までの距離を検出する測距回路２５、被写体光を受光して該受光量に応じた測光信号を出力する測光回路２７、フィルム給送量に応じたフィルム給送信号を入力するフィルム給送信号入力回路２９、フィルムのＤＸコードからフィルム感度情報などを読み取って入力するＤＸコード入力回路３１がそれぞれ接続されている。
【００１７】
上記構成に基づき、カメラ動作について、図２を参照して説明する。図２は、カメラ１に電池１１が装填されている状態で実行されるメイン処理に関するフローチャートである。この処理に入ると先ず、初期化処理を実行する（Ｓ１）。この初期化処理では、フィルムカウンタの設定や内蔵ＲＡＭや各ポートの初期化が行われた後、電源オフ状態がセットされる。電源オフ状態では、電源スイッチＳＷＭ以外のスイッチ操作がなされても無効となる。
【００１８】
初期化処理を実行したら、電源オン状態がセットされているか否かをチェックする（Ｓ３）。電源オン状態がセットされていないときは（Ｓ３；Ｎ）、電源スイッチＳＷＭのオン割り込みを許可して電源スイッチＳＷＭがオンされるまで他のスイッチを受け付けない低消費電力モードに移行する（Ｓ５）。そして電源スイッチＳＷＭがオンしたら、電源オン状態をセットし、さらにストロボ充電要求をセットし、Ｓ３へ戻る（Ｓ７、Ｓ９）。一方、電源オン状態がセットされているときは（Ｓ３；Ｙ）、全てのスイッチ操作が有効となり、操作されたスイッチに応じた処理を実行する（Ｓ１１〜Ｓ３７）。なお、電源オン状態であるかまたは電源オフ状態であるかは、ＬＣＤパネル２３の表示によって、使用者に報知される。
【００１９】
上述の電源オン状態において電源スイッチＳＷＭがオフしたときは、電源オフ状態をセットし、Ｓ３へ戻る（Ｓ１１；Ｙ、Ｓ１３）。裏蓋スイッチＳＷＵが変化したときは、裏蓋開閉処理を実行し、Ｓ３へ戻る（Ｓ１５；Ｙ、Ｓ１７）。裏蓋開閉処理では、裏蓋が閉じられた場合には装填されたフィルムの１コマ目をセットするフィルムローディング動作を行ない、裏蓋が開けられた場合にはフィルム枚数カウンタをクリアする等の初期化を行なう。
【００２０】
モードスイッチＳＷＭｏがオフからオンに変化したときは（Ｓ１９；Ｙ）、モード設定処理を実行し、Ｓ３へ戻る（Ｓ２１）。モード設定処理では、モードスイッチＳＷＭｏがオフからオンに切り替わる毎に、ストロボオート撮影→ストロボオン撮影→ストロボオフ撮影→ストロボオート撮影…の順番で撮影モードを切り替える。ここで、ストロボオート撮影は、被写体輝度に基づいてＣＰＵ１０がストロボによる補助光を必要と判断したときにストロボを発光させて露出するモードである。ストロボオン撮影は、被写体輝度に拘わらず、常にストロボを発光させて露出するモードである。ストロボオフ撮影は、被写体輝度に拘わらず、ストロボを発光させないで露出するモードである。
【００２１】
測光スイッチＳＷＳがオフからオンに変化したときは（Ｓ２３；Ｙ）、撮影処理を実行し（Ｓ２５）、フィルム巻上げが必要か否かをチェックする（Ｓ２７）。本実施形態では、カメラ１にフィルムが装填された状態で撮影が正常に終了した場合はフィルム巻上げが必要となっている。フィルム巻上げが必要でない場合、すなわちカメラ１にフィルムが装填されていない状態で露出された場合や露出せずに撮影処理を抜けた場合は、Ｓ３へ戻る（Ｓ２７；Ｎ）。フィルム巻上げが必要であれば（Ｓ２７；Ｙ）、フィルム巻上げ処理を実行し（Ｓ２９）、フィルムを一コマ分巻き上げたらＳ３へ戻る（Ｓ３１；Ｎ）。フィルムを一コマ分巻き上げられなかった場合、すなわちフィルムが終端に達している場合は（Ｓ３１；Ｙ）、フィルム巻戻し処理を実行してフィルムをパトローネ内に巻戻し、Ｓ３へ戻る（Ｓ３３）。
【００２２】
上述の電源スイッチＳＷＭ、裏蓋スイッチＳＷＵ、モードスイッチＳＷＭｏ、測光スイッチＳＷＳのいずれも操作されていない場合は、ストロボ充電要求がセットされているか否かをチェックする（Ｓ２３；Ｎ、Ｓ３５）。ストロボ充電要求は、電源スイッチＳＷＭがオフからオンに切り替わった場合、またはＳ２３の撮影処理にてストロボ発光が行なわれた場合にセットされる。ストロボ充電要求がセットされていなければ、Ｓ３へ戻る（Ｓ３５；Ｎ）。ストロボ充電要求がセットされていれば、ストロボ充電処理を実行し、Ｓ３へ戻る（Ｓ３５；Ｙ、Ｓ３７）。ストロボ充電処理は、ストロボ回路１３内に設けたストロボ発光用コンデンサを充電する処理であるが、この充電中にいずれかのスイッチ操作がなされた場合には、充電が一旦中断され、操作されたスイッチに応じた処理が行なわれる。上述のストロボ充電要求はストロボ発光用コンデンサが所定レベルまで充電されないとクリアされないので、操作されたスイッチに応じた処理が終了するとストロボ充電処理が再開される。
【００２３】
以下では、図３〜図７を参照し、Ｓ２５で実行される撮影処理の第１〜第５実施例について説明する。ここでは、いずれもレンズシャッタカメラに本発明を適用した実施形態について説明する。
【００２４】
図３は、撮影処理の第１実施例に関するフローチャートを示している。この第１実施例は、測光及び露出設定タイミングを撮影モードに応じて異ならせ、ストロボ発光の有無を露出前に判断する必要がない場合には露出直前に測光及び露出設定を行ない、より適正な露出値を求める構成である。
【００２５】
測光スイッチＳＷＳがオンして撮影処理に入ると先ず、測距回路２５を介して被写体までの距離を求め（Ｓ４１）、現在設定されている撮影モードがストロボオート撮影であるか否かをチェックする（Ｓ４３）。ストロボオート撮影であれば、測光回路２７から入力した測光信号に基づいて被写体輝度を求め、ＡＥ演算処理を実行する（Ｓ４３；Ｙ、Ｓ４５、Ｓ４７）。ＡＥ演算処理では、求めた被写体輝度及びフィルム感度情報等に基づいて適正露出値を設定し、さらにＳ４５で求めた被写体輝度に基づき、露出時にストロボを発光させるか否かを判定する。本実施形態においてＣＰＵ１０は、シャッタ速度が手ぶれ限界速度以下となる所定の輝度値よりも被写体輝度が低い場合に、ストロボを発光させると判定し、シャッタ速度を手ぶれ限界速度に固定する。一方、現在設定されている撮影モードがストロボオート撮影以外であれば、Ｓ４５およびＳ４７をスキップする（Ｓ４３；Ｎ）。
【００２６】
続いて、ストロボ発光が必要か否かをチェックする（Ｓ４９）。ストロボ発光が必要な場合、すなわち、ストロボオン撮影の場合またはストロボオート撮影でストロボ発光させる場合は、撮影充電処理を実行し、ストロボ充電が完了しているか否かをチェックする（Ｓ４９；Ｙ、Ｓ５１、Ｓ５３）。撮影充電処理は、ストロボ回路１３内に備えたストロボ発光用コンデンサ（不図示）を充電する処理であって、ストロボ充電中は赤ランプ２１を点滅させ、測光スイッチＳＷＳがオフしたか否かのチェックを行なう。ストロボ充電が完了する前に測光スイッチＳＷＳがオフした場合は、ストロボ充電を停止して赤ランプ２１を消灯し、メイン処理へ戻る（Ｓ５３；Ｎ）。ストロボ充電が完了している場合は、赤ランプ２１を点灯してストロボ充電が完了した旨及び露出時にストロボを発光させる旨を使用者に報知し、Ｓ５７へ進む（Ｓ５３；Ｙ、Ｓ５５）。
ストロボ発光が必要でない場合、すなわち、ストロボオフ撮影の場合またはストロボオート撮影でストロボ発光させない場合は、Ｓ５１〜Ｓ５５をスキップし、Ｓ５７へ進む（Ｓ４９；Ｎ）。
【００２７】
Ｓ５７では測光スイッチＳＷＳがオフしているか否かをチェックする。測光スイッチＳＷＳがオフしていれば、赤ランプ２１を消灯してメイン処理へ戻る（Ｓ５７；Ｙ、Ｓ５９）。測光スイッチＳＷＳがオフしていなければ、レリーズスイッチＳＷＲがオンしているか否かをチェックし（Ｓ５７；Ｎ、Ｓ６１）、レリーズスイッチＳＷＲがオンしていなければ、測光スイッチＳＷＳがオフするかまたはレリーズスイッチＳＷＲがオンするまで待機する（Ｓ６１；Ｎ）。
【００２８】
レリーズスイッチＳＷＲがオンしたら、ストロボオート撮影であるか否かをチェックする（Ｓ６１；Ｙ、Ｓ６３）。ストロボオート撮影でなければ、測光処理を実行して被写体輝度を求め、求めた被写体輝度及びＤＸコード入力回路３１から入力したフィルム感度情報に基づいて適正露出値を設定する（Ｓ６３；Ｎ、Ｓ６５、Ｓ６７）。ストロボオート撮影であれば、Ｓ６５及びＳ６７をスキップする（Ｓ６３；Ｙ）。
【００２９】
そして赤ランプ２１を消灯し（Ｓ６９）、ストロボを発光させる場合のみＦＭ（フラッシュマチック）演算処理を実行してストロボ発光の適正絞り値を設定し（Ｓ７１；Ｙ、Ｓ７３）、Ｓ４１で求めた距離情報に基づいて焦点調節レンズ群を移動させる（Ｓ７５）。焦点調節レンズ群を移動させたら露出制御を行ない（Ｓ７７）、露出終了後は焦点調節レンズ群を元の位置まで戻してメイン処理へ戻る（Ｓ７９）。
【００３０】
上記の第１実施例によれば、ストロボを発光させるか否かを判断する必要がないストロボオン撮影またはストロボオフ撮影では、レリーズスイッチＳＷＲがオンした時に測光を行なって露出値を設定するから、測光から露出開始までのタイムラグが短く、より適確な露出値を得ることができる。
【００３１】
図４は、撮影処理の第２実施例に関するフローチャートを示している。第２実施例は、設定されている撮影モードに拘わらず、レリーズスイッチＳＷＲがオンした時に測光及び露出設定を実行する構成であって、図３に示す第１実施例からＳ６３を削除し、Ｓ４７に替えてＳ４６を新たに追加した以外は第１実施例と同様である。
【００３２】
第２実施例では、測距処理を実行した後に、撮影モードがストロボオート撮影であれば、測光処理を実行して被写体輝度を求め、求めた被写体輝度に基づいてストロボ発光判定のみを行なう（Ｓ４３；Ｙ、Ｓ４５、Ｓ４６）。つまり、測光スイッチＳＷＳがオンしても露出設定は行なわれない。そしてレリーズスイッチＳＷＲがオンしたときは、ストロボオン撮影またはストロボオフ撮影の場合だけでなくストロボオート撮影の場合にも、測光及び露出設定が行なわれる（Ｓ６１；Ｙ、Ｓ６５、Ｓ６７）。
【００３３】
このように第２実施例では、設定されている撮影モードに拘わらず、レリーズスイッチＳＷＲがオンした時に測光及び露出設定が行なわれるから、どの撮影モードにおいてもより適確な露出を得ることができる。
【００３４】
図５は、撮影処理の第３実施例に関するフローチャートを示している。第３実施例では、設定されている撮影モードに拘わらず、測光スイッチＳＷＳがオンした時に測光及び露出設定を実行しておくが、測光スイッチＳＷＳのオン状態が所定時間以上維持された場合には、この維持状態の間に被写体輝度が大きく変化している可能性があるため、レリーズスイッチＳＷＲがオンした時に測光及び露出設定を再実行する構成である。
【００３５】
測光スイッチＳＷＳがオンして撮影処理に入ると先ず、測距回路２５を介して被写体までの距離を求め（Ｓ１０１）、測光回路２７を介して被写体輝度を求め、第１ＡＥ演算処理を実行する（Ｓ１０３、Ｓ１０５）。Ｓ１０５の第１ＡＥ演算処理では、Ｓ１０３で求めた被写体輝度等に基づいて適正露出値を算出し、さらにストロボオート撮影であれば、Ｓ１０３で求めた被写体輝度と所定の判定レベルを比較してストロボ発光の有無を判定する。
【００３６】
第１ＡＥ演算処理を実行したら、３秒タイマーをスタートさせ（Ｓ１０７）、露出時にストロボを発光させるか否かをチェックする（Ｓ１０９）。ストロボを発光させる場合であれば、撮影充電処理を実行し、ストロボ充電が完了しているか否かをチェックする（Ｓ１０９；Ｙ、Ｓ１１１、Ｓ１１３）。撮影充電処理は、ストロボ回路１３内に備えたストロボ発光用コンデンサ（不図示）を充電する処理であって、ストロボ充電中は赤ランプ２１を点滅させ、測光スイッチＳＷＳがオフしたか否かのチェックを行なう。ストロボ充電が完了する前に測光スイッチＳＷＳがオフした場合は、ストロボ充電を停止して赤ランプ２１を消灯し、メイン処理へ戻る（Ｓ１１３；Ｎ）。ストロボ充電が完了している場合は、赤ランプ２１を点灯してストロボ充電が完了した旨及び露出時にストロボを発光させる旨を報知し、Ｓ１１７へ進む（Ｓ１１３；Ｙ、Ｓ１１５）。一方、ストロボを発光させない場合は、Ｓ１１１〜Ｓ１１５をスキップする（Ｓ１０９；Ｎ）。
【００３７】
続いて測光スイッチＳＷＳがオフしているか否かをチェックし（Ｓ１１７）、オフしていたら赤ランプ２１を消灯してメイン処理へ戻る（Ｓ１１７；Ｙ、Ｓ１１９）。測光スイッチＳＷＳがオフしていなければ、レリーズスイッチＳＷＲがオンしているか否かをチェックし（Ｓ１１７；Ｎ、Ｓ１２１）、オンしていなければ、測光スイッチＳＷＳがオフするまで、またはレリーズスイッチＳＷＲがオンするまで待機する（Ｓ１２１；Ｎ）。
【００３８】
レリーズスイッチＳＷＲがオンしたときは、３秒タイマーがタイムアップしているか否かをチェックする（Ｓ１２１；Ｙ、Ｓ１２３）。
３秒タイマーがタイムアップしていたら、再度、測光回路２７を介して被写体輝度を求め、求めた被写体輝度に基づいて第２ＡＥ演算処理を再実行する（Ｓ１２３；Ｙ、Ｓ１２５、Ｓ１２７）。３秒タイマーがタイムアップするのは、シャッタボタンが半押しされてから全押しされるまでに３秒以上かかったときである。この場合は、被写体輝度が大きく変化している虞があるため、露出直前の被写体輝度に基づいて適正露出値を設定する。Ｓ１２７の第２ＡＥ演算処理では、Ｓ１２５で求めた被写体輝度に基づいて適正露出値が設定し直されるが、ストロボオート撮影の場合のストロボ発光の有無は判定されない。これは、赤ランプ２１によって報知したストロボ判定結果どおりにストロボ発光を制御するためである。
３秒タイマーがタイムアップしていなかったときは、Ｓ１２５及びＳ１２７をスキップする（Ｓ１２３；Ｎ）。
【００３９】
続いて赤ランプ２１を消灯し（Ｓ１２９）、ストロボを発光させるか否かをチェックする（Ｓ１３１）、ストロボを発光させる場合のみＦＭ演算処理を実行してストロボ発光の適正絞り値を設定し（Ｓ１３１；Ｙ、Ｓ１３３）、Ｓ１０１で求めた距離情報に従い焦点調節レンズ群を移動させる（Ｓ１３５）。焦点調節レンズ群を移動させたら露出制御を行ない（Ｓ１３７）、露出終了後は焦点調節レンズ群を元の位置まで戻してメイン処理へ戻る（Ｓ１３９）。
【００４０】
このように第３実施例では、測光スイッチＳＷＳがオンしてからレリーズスイッチＳＷＲがオンするまでに３秒以上経過していた場合は、レリーズスイッチＳＷＲがオンしたときの被写体輝度に基づいて露出値を設定し直すから、シャッタボタンが半押しされている間に被写体輝度が大きく変化してしまったときでも適正露出を得ることができる。
またストロボオート撮影において、測光スイッチＳＷＳがオンしてからレリーズスイッチＳＷＲがオンするまでに３秒以上経過していてもストロボ発光判定は再実行されないから、赤ランプ２１で報知したとおりにストロボ発光は制御される。
【００４１】
図６は撮影処理の第４実施例に関するフローチャートを示している。第４実施例は、測光スイッチＳＷＳのオン状態が所定時間以上維持された場合には、レリーズスイッチＳＷＲがオンした時に露出値を設定し直すだけでなく、ストロボ発光判定も再実行する構成である。なお第４実施例は、図５に示す第３実施例からＳ１２７に替えてＳ１２６、Ｓ１２２及びＳ１３２を追加した以外は第３実施例と同様である。以下では、第４実施例の特徴部分となる、レリーズスイッチＳＷＲがオンした以降の動作について説明する。
【００４２】
レリーズスイッチＳＷＲがオンしていれば（Ｓ１２１；Ｙ）、レリーズスイッチＳＷＲのオンを検知したのが１回目か否かをチェックする（Ｓ１２２）。レリーズスイッチＳＷＲのオン検知が１回目のとき、すなわちレリーズスイッチＳＷＲがオフからオンに切り替わったときは、３秒タイマーがタイムアップしているか否かをチェックする（Ｓ１２２；Ｙ、Ｓ１２３）。３秒タイマーがタイムアップしていたら、測光処理を実行して被写体輝度を求め、求めた被写体輝度に基づいて第３ＡＥ演算処理を実行する（Ｓ１２３；Ｙ、Ｓ１２５、Ｓ１２６）。３秒タイマーがタイムアップしていなければ、Ｓ１２５及びＳ１２６をスキップする（Ｓ１２３；Ｎ）。
【００４３】
第３ＡＥ演算処理は、Ｓ１２５で求めた被写体輝度に基づいて適正露出値を設定するほか、ストロボオート撮影であればさらにストロボ発光判定を行なう処理である。この第３ＡＥ演算処理内のストロボ発光判定では、ストロボ必要と判定する判定レベルを第１ＡＥ演算処理で用いる判定レベルよりも低く設定し、Ｓ１２５で求めた被写体輝度が上記判定レベルよりも低い場合に、ストロボ必要と判定する。ここで上記判定レベルを低く設定するのは、レリーズスイッチＳＷＲがオンした後にストロボ充電を開始させると、レリーズタイムラグが長くなって好ましくないので、アンダー量が大きすぎて撮影失敗の可能性が高い場合にだけストロボ必要と判定できるようにするためである。
【００４４】
続いて、赤ランプ２１を消灯し（Ｓ１２９）、ストロボ発光が必要か否かをチェックする（Ｓ１３１）。ストロボ発光が必要な場合は（Ｓ１３１；Ｙ）、ストロボ充電が完了しているか否かをチェックし（Ｓ１３２）、完了していなければＳ１１１へ戻ってストロボを充電する（Ｓ１３２；Ｎ）。第１ＡＥ演算処理でストロボ発光不要と判定され、第３ＡＥ演算処理でストロボ発光必要と判定されたときは、ストロボを充電していないから、Ｓ１３２でノーと判断される。なお、ストロボの充電が完了するまでは、レリーズスイッチＳＷＲがオンしていても露出動作は開始されない。
【００４５】
ストロボ充電が完了していれば、ＦＭ演算処理を実行してストロボ発光の適正絞り値を設定し（Ｓ１３２；Ｙ、Ｓ１３３）、Ｓ１０１で求めた距離情報に従い焦点調節レンズ群を移動させる（Ｓ１３５）。焦点調節レンズ群を移動させたら露出制御を行ない（Ｓ１３７）、露出終了後は焦点調節レンズ群を元の位置まで戻してメイン処理へ戻る（Ｓ１３９）。
レリーズスイッチＳＷＲのオン検知が１回目でないとき、すなわちストロボ充電中であってレリーズスイッチＳＷＲがオンしているときは、Ｓ１２９以降の処理を進める（Ｓ１２２；Ｎ）。
【００４６】
このように第４実施例では、測光スイッチＳＷＳのオン状態が３秒以上続いた場合は、レリーズスイッチＳＷＲがオンした時に露出値を設定し直すとともにストロボ発光判定を再実行するから、被写体輝度が大きく変化しても適正露出を得ることができる。また第４実施例では、２回目のストロボ発光判定（Ｓ１２６）において判定レベルを１回目（Ｓ１０５）よりも低くしてあるから、アンダー量が大きすぎて撮影失敗の可能性が高い場合にだけストロボ必要と判定できる。これにより、レリーズスイッチＳＷＲがオンした後のストロボ充電によって生じるレリーズタイムラグを最小限に抑えることができる。
【００４７】
図７は、撮影処理の第５実施例に関するフローチャートを示している。第５実施例において、ストロボオート撮影やストロボオン撮影では、測光スイッチＳＷＳがオンした時に無条件でストロボを充電しておき、レリーズスイッチＳＷＲがオンした時に、撮影モードに拘わらず、測光及び露出設定を行なう構成である。
【００４８】
測光スイッチＳＷＳがオンして撮影処理に入ると先ず、測距処理を実行して被写体までの距離を求め（Ｓ１５０）、現在設定されている撮影モードがストロボオフ撮影か否かをチェックする（Ｓ１５１）。ストロボオフ撮影でない場合、は、撮影充電処理を実行し、ストロボ充電が完了したか否かをチェックする（Ｓ１５１；Ｎ、Ｓ１５３、Ｓ１５５）。本実施例では、露出時にストロボを発光させる可能性があるストロボオート撮影、またはストロボオン撮影の場合は、レリーズスイッチＳＷＲがオンする前にあらかじめストロボを充電しておく。ストロボ充電が完了していれば、赤ランプ２１を点灯し、Ｓ１５９へ進む（Ｓ１５５；Ｙ、Ｓ１５７）。一方、ストロボ充電が完了する前に測光スイッチＳＷＳがオフしたときは、ストロボ充電を停止し、赤ランプ２１を消灯してメイン処理へ戻る（Ｓ１５５；Ｎ）。
【００４９】
Ｓ１５９では、測光スイッチＳＷＳがオフしているか否かをチェックする。測光スイッチＳＷＳがオフしていれば、赤ランプ２１を消灯し、メイン処理へ戻る（Ｓ１５９；Ｙ、Ｓ１６１）。測光スイッチＳＷＳがオフしていなければ、レリーズスイッチＳＷＲがオンしているか否かをチェックし（Ｓ１５９；Ｎ、Ｓ１６３）、レリーズスイッチＳＷＲがオンしていなければ、測光スイッチＳＷＳがオフするまでまたはレリーズスイッチＳＷＲがオンするまで待機する（Ｓ１６３；Ｎ）。
【００５０】
レリーズスイッチＳＷＲがオンしたときは、測光処理を実行して被写体輝度を求め、ＡＥ演算処理を実行する（Ｓ１６３；Ｙ、Ｓ１６５、Ｓ１６７）。Ｓ１６７のＡＥ演算処理では、Ｓ１６５で求めた被写体輝度に基づいて適正露出値が設定され、ストロボオート撮影であればさらに、Ｓ１６５で求めた被写体輝度に基づき、ストロボ発光をさせるか否かを判定する。
そして赤ランプ２１を消灯し（Ｓ１６９）、ストロボを発光させる場合のみＦＭ演算処理を実行してストロボ発光の適正絞り値を設定し（Ｓ１７１；Ｙ、Ｓ１７３）、Ｓ１５０で求めた距離情報に従い焦点調節レンズ群を移動させる（Ｓ１７５）。焦点調節レンズ群を移動させたら露出制御を行ない（Ｓ１７７）、露出終了後は焦点調節レンズ群を元の位置まで戻してメイン処理へ戻る（Ｓ１７９）。
【００５１】
このように第５実施例では、露出時にストロボを発光させる可能性があるストロボオート撮影、またはストロボオン撮影の場合は、測光スイッチＳＷＳがオンした時にストロボを予め充電しておくから、レリーズスイッチＳＷＲがオンしてからストロボを充電する必要がなく、レリーズタイムラグが減ってカメラ応答性が向上する。また第５実施例では、撮影モードに拘わらず、レリーズスイッチＳＷＲがオンした時に測光して露出値を設定するから、測光から露出開始までのタイムラグが減り、全撮影モードにおいてより適確な露出が得られる。
【００５２】
以上では、レンズシャッタカメラに本発明を適用した実施形態について説明したが、本発明は一眼レフカメラにも適用可能である。また、ＣＰＵ１０の制御対象となるストロボ（ストロボ回路１３）は、内蔵ストロボであっても外付けストロボであってもよい。
【００５３】
【発明の効果】
本発明によれば、シャッタボタンの半押し状態が所定時間以上長く維持された場合には、シャッタボタンが全押しされた時に再測光して露出値を設定し直すから、シャッタボタンが半押しされた時から被写体輝度が大きく変化してしまっていても適正露出を得ることができる。
【図面の簡単な説明】
【図１】本発明を適用したレンズシャッタ式カメラの制御系を示すブロック図である。
【図２】同レンズシャッタ式カメラのメイン処理に関するフローチャートである。
【図３】同レンズシャッタ式カメラの撮影処理の第１実施例に関するフローチャートである。
【図４】同レンズシャッタ式カメラの撮影処理の第２実施例に関するフローチャートである。
【図５】同レンズシャッタ式カメラの撮影処理の第３実施例に関するフローチャートである。
【図６】同レンズシャッタ式カメラの撮影処理の第４実施例に関するフローチャートである。
【図７】同レンズシャッタ式カメラの撮影処理の第５実施例に関するフローチャートである。
【符号の説明】
１０  ＣＰＵ
２１  赤ランプ
２３  ＬＣＤパネル
２５  測距回路
２７  測光回路
【図１】
0004820499.tif 000002
【図２】
0004820499.tif 000003
【図３】
0004820499.tif 000004
【図４】
0004820499.tif 000005
【図５】
0004820499.tif 000006
【図６】
0004820499.tif 000007
【図７】
0004820499.tif 000008